(57)【要約】【課題】反射効率を極力落とさずに反射鏡のコンパクト化を実現し、小型で且つ反射効率のよい機能的な蛍光灯スポットライトを提供する。【解決手段】反射鏡１の上部及び下部を切り欠き、その切欠き部位に、光を略前方に反射する補助鏡体３を装着したので、上下両切欠き部位により反射鏡１を小型化し、且つ上下両補助鏡体３により光源となる蛍光灯の光を前面に向けて反射せしめることで、小型化した反射鏡１の反射効率を補うことができる。【選択図】　図３
2004055211.tif 000002
【特許請求の範囲】
【請求項１】
略回転放物面形状に形成される反射鏡内に光源として蛍光灯を装着してなる蛍光灯スポットライトにおいて、前記反射鏡の周縁部における上下左右の部位の少なくとも一箇所を切り欠いて該反射鏡の外径寸法を縮小すると共に、該切欠き部位に、光源から照射される光を略前方に反射する補助鏡体を装着したことを特徴とする蛍光灯スポットライト。
【請求項２】
上記補助鏡体が光源から照射される光を略前方に反射する反射面を備えた板状部材であり、該反射面を内側にして、上記反射鏡の切欠き部位に前記補助鏡体を装着したことを特徴とする請求項１記載の蛍光灯スポットライト。
【請求項３】
上記補助鏡体の反射面が、蛍光灯からの光を反射鏡前方へ反射する傾斜面を、光軸に沿って複数並列せしめてなる断面略鋸歯状のものであることを特徴とする請求項２記載の蛍光灯スポットライト。
【請求項４】
光源として一又は複数のコンパクト蛍光灯を用いたことを特徴とする請求項１〜３の何れか１項記載の蛍光灯スポットライト。
【請求項５】
上記反射鏡の後端に光源が遊挿される開口部を設けると共に、該開口部の周囲に、前記反射鏡を該反射鏡の中心を基準として回動自在に支持するための平坦面を形成したことを特徴とする請求項１〜４の何れか１項記載の蛍光灯スポットライト。
【請求項６】
上記反射鏡の後側に、電子安定器と、光源の前後位置を調節する調節機構を内蔵するケーシングを配設し、該ケーシング内に、前記電子安定器を上下若しくは左右に分割して配置すると共に、その中央に前記調節機構を配置したことを特徴とする請求項１〜５の何れか１項記載の蛍光灯スポットライト。
【発明の詳細な説明】
【０００１】
【発明の属する技術分野】
この発明は、主にテレビスタジオ、写真スタジオ、劇場舞台等の演出空間にて使用される照明器具としてのスポットライトに関し、さらに詳しくは、光源として蛍光灯を用いてなる蛍光灯スポットライトに関する。
【０００２】
【従来の技術】
従来、この種の蛍光灯スポットライトは大きな反射鏡を用いてなり、多くの反射光を比較的狭い範囲に集中することにより高照度を得ている。またこの種蛍光灯スポットライトは光源が大きくなるので、反射鏡が大きな形状となってしまうのが一般的である。反射鏡は略半球形状のもので、詳しくは、放物曲線や楕円曲線、または自由曲線などを３６０度回転させてなる略回転放物面形状であって、その前面開口は円形であることが殆どであり、これ以外の形状でなる反射鏡は十分な集光効果が得られていない。
【０００３】
【発明が解決しようとする課題】
また、この種の蛍光灯スポットライトでは、前記した理由から反射鏡を大型にする必要があるため、器具全体が大型になりがちであり、その取り扱いは大変であった。特に、狭いスタジオ等は天井が低いことから大型の器具を使用するのには無理があり、コンパクトな照明器具が必要となる。
このような事情から、コンパクトで取り扱い性に優れた蛍光灯スポットライトが望まれていたが、蛍光灯スポットライトが大型になる主要因である反射鏡をコンパクト化すると、反射面積の低減に伴い反射効率が低下してしまう問題がある。
【０００４】
本発明はこのような従来事情に鑑みてなされたもので、その目的とする処は、反射効率を極力落とさずに反射鏡のコンパクト化を実現し、小型で取り扱い性のよい機能的な蛍光灯スポットライトを提供することにある。
【０００５】
【課題を解決するための手段】
上記した課題を解決するために本発明の蛍光灯スポットライトは、請求項１記載のように、略回転放物面形状に形成される反射鏡内に光源として蛍光灯を装着してなる蛍光灯スポットライトにおいて、前記反射鏡の周縁部における上下左右の部位の少なくとも一箇所を切り欠いて該反射鏡の外径寸法を縮小すると共に、該切欠き部位に、光源から照射される光を略前方に反射する補助鏡体を装着したことを特徴とする。
このような構成によれば、周縁部の少なくとも一箇所を切り欠いた反射鏡は、その径方向寸法が縮小され、コンパクトな反射鏡となる。切欠き部位は、反射鏡の周縁部の上下左右どの部位に形成しても良く、また形成する数も任意である。切欠き部位を周縁部の上下に形成した場合は反射鏡の上下寸法（高さ寸法）が縮小され、左右に形成した場合は反射鏡の左右寸法（幅寸法）が縮小される。また、周縁部の少なくとも一箇所を切り欠いた反射鏡は反射面積が低減するが、上記したようにその切欠き部位に補助鏡体を装着し、該補助鏡体により光源からの光を略前方へ向けて反射することで、コンパクト化した反射鏡の反射効率を補うことができる。
【０００６】
また本発明は請求項２記載のように、上記補助鏡体が光源から照射される光を略前方に反射する反射面を備えた板状部材であり、該反射面を内側にして、上記反射鏡の切欠き部位に前記補助鏡体を装着したことを特徴とする。
このように構成した場合、上記反射鏡の切欠き部位に板状部材の補助鏡体を装着するだけで、コンパクト化した反射鏡の反射効率を確実に補うことができる。
【０００７】
また本発明の請求項３では、上記補助鏡体の反射面が、蛍光灯からの光を反射鏡前方へ反射する傾斜面を、光軸に沿って複数並列せしめてなる断面略鋸歯状のものであることを特徴とする。
これにより、補助鏡体の反射面は、適宜角度をもって傾斜する傾斜面が、光軸に沿って（補助鏡体の前後方向に沿って）連続状に複数並列した状態となる。よって、蛍光灯からの光は上記各傾斜面により、反射鏡前方へほぼ確実に反射される。
尚、請求項３において、上記夫々の傾斜面は、光軸と直交する方向に沿って（補助鏡体の左右方向に沿って）連続状に形成する場合と、不連続状に形成する場合とのどちらも含むものであるが、反射効率の低減防止を考慮すれば、連続状に形成する方が好ましい。
また、上記補助鏡体の反射面を断面略鋸歯状以外の構成とする態様として、補助鏡体の内面に、光源から照射される光を略前方に反射する指向性をもって多数の凸部又は凹部を設けた、エンボス状の反射面とすることが例示でき、本発明の請求項１又は２は、このようなエンボス状反射面を有する補助鏡体も含むものである。
【０００８】
本発明の請求項４では、反射鏡内に装着する光源として、一又は複数のコンパクト蛍光灯を用いたことを特徴とし、これにより、通常の蛍光灯を用いる場合に比べ、反射鏡の大きさを抑えることが可能となる。
【０００９】
本発明の請求項５では、上記反射鏡の後端に光源が遊挿される開口部を設けると共に、該開口部の周囲に、前記反射鏡を該反射鏡の中芯軸を基準として回動自在に支持するための平坦面を形成したことを特徴とする。
蛍光灯スポットライトにおいては通常、反射鏡の後側に、電子安定器等を内蔵するケーシングが配設されるが、該ケーシングに対し反射鏡を回動自在に取り付けることで、反射鏡周縁部の切欠き部位を、上下左右任意の箇所に位置させることができる。例えば、切欠き部位を周縁部の上下に形成して高さ寸法を縮小した反射鏡を９０度回動させれば、その切欠き部位が左右に位置するので、幅寸法が縮小された反射鏡となる。
また、光源として複数の蛍光灯を横一列に並ぶよう配設した場合、略横長の配光が得られるが、それら蛍光灯が反射鏡と一体に回動するよう構成した場合、反射鏡を９０度回動させれば各蛍光灯が縦一列に並び、略縦長の配光が得られる。また、上記したように反射鏡後端の開口部周囲を平坦面とすることで、ケーシングに対し反射鏡を回動自在に取り付けるための支持構造を簡素なものとすることができる。すなわち、反射鏡の後端部を平坦面とした場合、該平坦面をケーシングの前面に回動自在に摺接する状態を維持するだけの簡単な支持構造で、反射鏡をケーシングに対し回動自在に取り付けることができる。
【００１０】
本発明の請求項６では、上記反射鏡の後側に、電子安定器と、光源の前後位置を調節する調節機構を内蔵するケーシングを配設し、該ケーシング内に、前記電子安定器を上下若しくは左右に分割して配置すると共に、その中央に前記調節機構を配置したことを特徴とする。
このように構成した場合、上下若しくは左右に分割した電子安定器の間に、光源の前後位置を調節する調節機構が配置されるので、上記ケーシングを小型で且つ重量バランスが安定したものとすることができる。さらに、上記反射鏡に加えてケーシングも小型化されるので、よりコンパクト化された蛍光灯スポットライトを提供することができる。
【００１１】
【発明の実施の形態】
以下、本発明に係る蛍光灯スポットライトの実施形態の一例を図面に基づいて説明する。図１は本例の蛍光灯スポットライトＡの縦断側面図、図２は同分解斜視図、図３は反射鏡１の斜視図、図４〜図７はケーシング５の断面図、図８は補助鏡体３の拡大断面図、図９はコンパクト蛍光灯２の拡大正面図、図１０は反射鏡１を９０度回動した状態の蛍光灯スポットライトＡの横縦断平面図を示している。
【００１２】
本例の蛍光灯スポットライトＡは、反射鏡１、該反射鏡１の中芯部に装着されるコンパクト蛍光灯２、反射鏡１の後部に配設されるケーシング５、コンパクト蛍光灯２を反射鏡１の中芯軸（本例では光軸と一致する）Ｌに沿って前後するように移動調節する調節機構６、該調節機構６を挟む形でケーシング５内に配設される電子安定器の例えば電圧制御部４ａと出力インバータ部４ｂなどを具備してなる。
【００１３】
反射鏡１は、アルミ合金等により、放物曲線や楕円曲線、または自由曲線などを３６０度回転させてなる略回転放物面形状に形成され、その内面側は鏡面仕上された鏡面１ａとして構成してある。反射鏡１の後端中芯部には、コンパクト蛍光灯２を着脱自在に遊挿するための開口部１ｂを開設してある。この開口部１ｂの周囲は環状の平坦面１ｃとして形成してある。平坦面１ｃは、反射鏡１の後端部を平坦面とすることによる反射効率の低下を可及的防止し得る大きさに形成してある。
【００１４】
上記した反射鏡１の開口部１ｂは、ケーシング５の前面板５１に開設した開口５２と重なり合い、さらに開口部１ｂ周囲の環状平坦面１ｃが前面板５１に摺接する状態にて、開口部１ｂにコンパクト蛍光灯２を遊挿するように構成してある。
【００１５】
また、反射鏡１は、リング状の取付金具１１ａ，１１ｂでケーシング５に回転自在に取り付けてある。取付金具１１ａは、反射鏡１の環状平坦面１ｃの前面側に当ててあり、その後面側に前記開口部１ｂと開口５２に回転自在に挿入されるカラー１１ａ’を備えると共に、そのカラー１１ａ’部分に、両取付金具１１ａ，１１ｂを連結するネジ１１ｃが挿入される孔１１ｄを等間隔毎に設けてある。取付金具１１ｂは、前面板５１の開口５２に後面側から当ててあり、前記ネジ１１ｃが螺合するナット１１ｅを後面側に一体に設けてある。
【００１６】
そうして、これら取付金具１１ａ，１１ｂをネジ１１ｃで連結すると共に、カラー１１ａ’を開口部１ｂと開口５２に回動自在に挿入することで、反射鏡１が前面板５１に回動自在に取り付けられ、且つカラー１１ａ’が反射鏡１を回動させるためのガイドとして機能する。すなわち、両取付金具１１ａ，１１ｂは、反射鏡１後端の環状平坦面１ｃをケーシング５の前面板５１に摺接自在に重ね合わせると共に、開口部１ｂと開口５２が連通し、且つ反射鏡１がその中芯軸Ｌを基準に回動自在となるよう、反射鏡１をケーシング５に取り付けている。
【００１７】
反射鏡１の周縁部における上下の部位は水平に切り欠き、この切欠き部位に補助鏡体３を装着して一体的に止着してある。これにより、反射鏡１は、正面から見て左右両側の円弧部と上下に並行する両補助鏡体３の直線とにより構成される（図３参照）。
【００１８】
上下の補助鏡体３は板状部材からなり、その内面に反射面３０を形成してある。
【００１９】
反射面３０は、図８にて示すように、コンパクト蛍光灯２からの光を反射鏡１前方へ反射する傾斜面３０ａと、隣り合わせる傾斜面３０ａの端部同士を連結する立ち上がり面３０ｂからなる反射パターン３０’を、光軸に沿って複数並列せしめてなる断面略鋸歯状に形成してなる。
【００２０】
各反射パターン３０’の傾斜面３０ａは、コンパクト蛍光灯２から受ける光を屈曲反射させ、略前方へ向けて光を放つものである。そうして、多数の傾斜面３０ａを並列状に備えてなる反射面３０を、反射鏡１の上下の切欠き部位に装着することで、反射鏡１は上下端部を水平に切り欠いてその高さ寸法を縮小したコンパクトなものでありながら、反射面積の低減に伴う反射効率の低下を前記両反射面３０で補って、該反射効率の低下を最小限に抑えるように機能する。
【００２１】
ケーシング５は、上記した前面板５１とその左右両側面に装着する側板５３ａと５３ｂで、内ケース８を覆ってなる。
左右両側板５３ａ，５３ｂの前部は、前面板５１側部に形成した左右両折り片５１ａ，５１ｂの内側に重ね、これらをボルト５４ａ，５４ｂによりそれぞれ止着してある。またボルト５４ａ，５４ｂは、略門型に成形したライト挟持用のアーム７の左右の下端部を、円板状のカバー５６ａ，５６ｂを介して、側板５３ａ，５３ｂに回動自在に止着している。
【００２２】
内ケース８は上中下の３個のケース８ａ，８ｂ，８ｂ’と蓋板８ｃから構成してある。上下のケース８ｂ，８ｂ’で挟まれる中ケース８ａには、コンパクト蛍光灯２を光軸Ｌに沿って進退移動させる調節機構６を収納してある。また、中ケース８ａの上下に配設される上ケース８ｂと下ケース８ｂ’内には、２つに分割した電子安定器の電圧制御部４ａと出力インバータ部４ｂが内蔵され、これら上下のケース８ｂ，８ｂ’の間に、上記調節機構６を収めた中ケース８ａを一体的に取り付けてある。
上記したように、電子安定器を電圧制御部４ａと出力インバータ部４ｂに２分割し、これらの間にコンパクト蛍光灯２の前後方向の位置を調節する調節機構６を配置することで、反射鏡１の後部に配置される電子安定器と機構部とをユニット化してケーシング５内にコンパクトに収納することができる。また、ライト挟持用のアーム７による回動支点となるボルト５４ａ，５４ｂによる止着部の近傍に、ユニット化された電子安定器の電圧制御部４ａ，出力インバータ部４ｂと機構部（調節機構６）が集中して配置される、すなわち、蛍光灯スポットライトＡにおける重量部分がアーム７による回動支点近傍に位置するので、同スポットライトＡのチルト角度の調整を行い易くなる。
【００２３】
上記した内ケース８の背面には蓋板８ｃを取り付けてある。この蓋板８ｃの下部にはグリップ８１を取付け、且つ上記調節機構６の操作を行うハンドル６８を突出させてある。
【００２４】
中ケース８ａ内に収容される調節機構６は、コンパクト蛍光灯２を支持して光軸方向（前後方向）へ移動可能に成すものであり、図４に示すように、同中ケース８ａ内において平面視並行状に設けられる軸状のガイドレール６１ａ，６１ｂを具備すると共に、両ガイドレール６１ａ，６１ｂの間にはソケット台６２を架設してある。
ソケット台６２は板状に形成し、その左右両縁部に断面略Ｌ形に形成した３枚のガイド片６３を有しており、これらガイド片６３は、上記した両ガイドレール６１ａ，６１ｂに対して摺動自在に嵌合させ、ソケット台６２を光軸方向へ摺動自在に取付支持してある。尚、一方のガイドレール６１ａは両端部を中ケース８ａに軸支して回転可能に支持してある。
【００２５】
一方のガイドレール６１ａの外周にはパイプ状の送り管６５を摺動自在に嵌合し、該送り管６５はガイド片６３で支持されてソケット台６２と一体に摺動するようにしてある。ガイドレール６１ａの後端には上記したハンドル６８を取付けてある。
【００２６】
送り管６５には送りコマ６６をネジ６６ａで取り付けてあり、また上記一方のガイドレール６１ａには螺旋状の送り溝６１ａ’を形成し、この送り溝６１ａ’に、上記したコマ６６に螺着した送りネジ６６ａの先端部を、送り管６５の管壁を貫通させて挿入してある。
【００２７】
したがって、ハンドル６８を回転操作すると、ガイドレール６１ａが回転することにより、ネジ６６ａがその送り溝６１ａ’に沿って摺動して送りコマ６６、送り管６５、ソケット台６２が前後摺動し、その結果、ソケット台６２により支持されるコンパクト蛍光灯２が反射鏡１の開口部１ｂを通って前後方向へ移動するようになる（図６，図７参照）。
【００２８】
ソケット台６２の前端にはソケット取付板６４を垂直に立設し、ソケット取付板６４の前面にソケット２０を取付固定してあり、このソケット２０の前面側に、コンパクト蛍光灯２を着脱可能に装着してある。
【００２９】
コンパクト蛍光灯２は、上記ソケット２０に差し込む電極を後面側に有するベース２ｂの前面に、図９にて示すように、該ベース２ｂの中心Ｐを囲むように、略Ｕ字形に屈曲した３本の蛍光管部２ａを立設して、各蛍光管部２ａの蛍光管２ａ’を、ベース２ｂの中心Ｐの周囲に等間隔に配設してある。
【００３０】
コンパクト蛍光灯２は、ベース２ｂの中心Ｐが光軸Ｌと一致するよう、ソケット２０に装着してあり、よって上記３本の蛍光管部２ａにおける６本の蛍光管２ａ’は、光軸Ｌの周囲に等間隔に配設される。
また上記３本の蛍光管部２ａは、その外側に接する円弧が反射鏡１の開口部１ｂよりも小さくなるよう配設され、前記開口部１ｂを通って前後方向へ移動できるように構成してある。
【００３１】
上記した如く構成した本例の蛍光灯スポットライトＡを使用する際には、スタジオの天井等の照明装着位置にアーム７を介して吊持した状態で装着する。
【００３２】
該蛍光灯スポットライトＡは、各蛍光管部２ａが、反射鏡１後端の開口部１ｂから半分程反射鏡１内に突出した状態が、コンパクト蛍光灯２を最も後退させた状態である（図１，図４，図５参照）。
この状態から、ハンドル６８を任意の方向、本例では右回りに回動操作すると、ガイドレール６１ａが回転し送り溝６１ａ’の螺旋に沿って送りネジ６６ａがガイドされつつ移動し、これに伴ってソケット台６２及びコンパクト蛍光灯２も前方へ移動する。図６，図７中に仮想線で示す位置が、コンパクト蛍光灯２の最も前まで移動した状態である。反対に、ハンドル６８を逆方向（本例では左回り）に回動操作すと、ソケット台６２及びコンパクト蛍光灯２が後退する。
【００３３】
本例では反射鏡１内の設計焦点が比較的後方にあり、上記したようにハンドル６８の回動によりコンパクト蛍光灯２を前後移動させて最も後に位置させ設計焦点に合わせると配光が最も小さくなり、設計焦点から離れて前方へ位置させると配光がぼやけて大きくなる。
【００３４】
コンパクト蛍光灯２に電力を供給して各蛍光管部２ａを発光させると、その光は、直接、若しくは反射鏡１の鏡面１ａ及び反射鏡１の上下に装着した補助鏡体３の反射面３０により反射して、反射鏡１の前方へ向けて投光される。
一般的に、反射鏡の上下若しくは左右を切欠くと反射面積が低減することから反射効率が悪くなるとされるが、上記したように、反射鏡１の上下切欠き部位に補助鏡体３を設けてその傾斜面３０ａにより反射効率を補うようにしたので、反射効率に影響のないことが実験により確認されている。因みに、実験による反射効率の低下は通常の反射鏡と比較して５％程度低減する程度であった。
【００３５】
本例のコンパクト蛍光灯は、ワット数に対して３本に分割された蛍光管部２ａの各蛍光管２ａ’が同一円周上に配置されるため、長さ方向に対して比較的密な光束が得られる。よって、反射鏡１の設計焦点に多くの光束を集めることができ、スポット光として用いるのに有効である。
【００３６】
尚、本例の蛍光灯スポットライトＡでは、３本の蛍光管部２ａを有するコンパクト蛍光灯２を、反射鏡１の中芯軸と光軸が一致するよう配置した構成としたが、コンパクト蛍光灯２における蛍光管部の配置形態や数並びにコンパクト蛍光灯２の配置形態や数は、要求される照明の光度や配光形態に応じて任意に変更可能である。
例えば、複数のコンパクト蛍光灯を横一列又は縦一列に並ぶよう配設すれば横長又は縦長の配光を得ることができる。
【００３７】
また、本例においては、反射鏡１の上下を切欠くことでその高さ寸法を縮小したので、天井が低いスタジオ等での使用に有用であり、且つその反射鏡１を回動自在としたので、例えば設置箇所の隣りに存在する器具が邪魔な場合、反射鏡１を９０度回動させて、反射鏡１の切欠き部位を左右に位置させれば（図１０参照）、反射鏡１の幅寸法が縮小され、操作に必要な余裕スペースを確保できることになる。
また、例えば、複数のコンパクト蛍光灯を横一列に並ぶよう配設し、これらコンパクト蛍光灯を反射鏡と一体に回動するよう構成した場合は、横長の配光を縦長の配光に変えることができる。
【００３８】
尚、上記切欠き部位は、反射鏡１の周縁部の上下左右の少なくとも一箇所に形成すれば初期の目的を達成することができ、三箇所以上に設けても勿論構わない。
【００３９】
【発明の効果】
以上の如く、本発明の請求項１に係る蛍光灯スポットライトは、反射鏡周縁部の少なくとも一箇所を切り欠いて反射鏡の外径寸法を縮小したので、反射鏡を小型化し、大型になりがちな蛍光灯スポットライトのコンパクト化を可能にした。その結果、特に天井の高さが低いスタジオ等では小型ゆえに操作も楽に行えるようになった。また、反射鏡の切欠き部位に補助鏡体を装着し、その補助鏡体により、光源となる蛍光灯から照射された光を略前方へ向けて反射するので、反射鏡を小型化してもその反射効率の低下を最小限に抑えることができる。
さらに、従来の蛍光灯スポットライトのように反射鏡の周縁部が円形である場合、投光の外形は円形となる。これに対し本発明では、反射鏡の周縁部を切り欠いたので、その切り欠いた分だけ、投光における眩しい範囲が狭くなる。よって、投光を直視した場合、眩しい面積が小さくなるので、従来の蛍光灯スポットライトに比べ、眩しさを軽減することができる。
【００４０】
請求項２記載の蛍光灯スポットライトは、上記した構成に加えて、補助鏡体を板状部材としたものであるから、反射鏡を効果的に小型化すると共に、反射面により蛍光灯からの光を前方へ向けて反射することが可能となり、コンパクト化と反射効率の維持を確実に実現することができる。
【００４１】
請求項３記載の蛍光灯スポットライトは、上記した構成に加え、断面略鋸歯状の反射面を有する補助鏡体を用いることで、光源である蛍光灯から受ける光をより確実に、略前方へ向けてより効率的に反射せしめることができる。よって、反射鏡の小型化に伴う反射効率の低下をより最小限に抑えることができる。
【００４２】
請求項４記載の蛍光灯スポットライトは、光源としてコンパクト蛍光灯を用いたことから、通常の蛍光灯を用いる場合に比べ、光源並びに反射鏡の大きさを小さく抑えることができ、これに伴って反射鏡を含む器具のコンパクト化を効果的に行うことができる。
【００４３】
請求項５記載の蛍光灯スポットライトは、反射鏡の後端開口部の周囲を平坦面としたので、簡単な支持構造により、反射鏡を回動自在に支持することができる。また、反射鏡を回動自在とすることで、反射鏡の切欠き部位を任意の箇所に位置させることができ、天井が低い場所での使用に際しては切欠き部位を上下に位置させ、横方向に隣り合う器具が存在する時は切欠き部位を左右に位置させるなど、使用状況に合わせて適宜選択して使用することができる。
【００４４】
請求項６記載の蛍光灯スポットライトは、反射鏡の後側に設ける電子安定器を上下若しくは左右に分割し、それらの間（中央）に光源の前後位置を調節する調節機構を配置したので、電子安定器と調節機構とをコンパクトに一体化することができる。よって、電子安定器と調節機構を納めるケーシングも小型化して、よりコンパクトな蛍光灯スポットライトを提供することができる。
また、２分割した電子安定器の間に前記調節機構を配したので、ケーシングが反射鏡と一体に回動するよう構成した場合、ケーシングの上下方向が左右方向に変更されても、スポットライト全体の重量バランスに大きな変化はなく、チルト角度の操作に支障が出るような虞れがない。さらに、蛍光灯スポットライトにおいて最も重量部分になる電子安定器と前記調節機構をケーシング内にコンパクトにユニット化することができ、該ケーシングに取り付けた吊持用アームによるチルト角度調整バランスを良好なものとすることが可能になる。
【図面の簡単な説明】
【図１】本発明に係る蛍光灯スポットライトの実施形態の一例を示す縦断側面図。
【図２】同蛍光灯スポットライトの分解斜視図。
【図３】反射鏡の斜視図。
【図４】反射鏡後側に設けるケーシングの内部構造を示す横断平面図。
【図５】同ケーシングの縦断側面図。
【図６】図４における蛍光灯の前後作動状態を示す断面図。
【図７】図５における蛍光灯の前後作動状態を示す断面図。
【図８】補助鏡体の拡大断面図。
【図９】コンパクト蛍光灯の正面図。
【図１０】反射鏡を９０度回動して切欠き部位を左右に位置させた状態の横断平面図。
【符号の説明】
Ａ・・・蛍光灯スポットライト
１・・・反射鏡
１ａ・・・反射面
１ｂ・・・開口部
１ｃ・・・平坦面
２・・・コンパクト蛍光灯
３・・・補助鏡体
３０・・・反射面
３０ａ・・傾斜面
４ａ・・・安定器の発振部
４ｂ・・・安定器の電源部
５・・・ケーシング
６・・・調節機構
８ａ・・・中ケース
８ｂ・・・上ケース
８ｂ’・・・下ケース
【図１】
2004055211.tif 000003
【図２】
2004055211.tif 000004
【図３】
2004055211.tif 000005
【図４】
2004055211.tif 000006
【図５】
2004055211.tif 000007
【図６】
2004055211.tif 000008
【図７】
2004055211.tif 000009
【図８】
2004055211.tif 000010
【図９】
2004055211.tif 000011
【図１０】
2004055211.tif 000012